(57)【要約】      （修正有）【課題】ユーザによる誤操作の防止を良好に図ることができる携帯機器、タッチパネルの制限領域設定方法およびプログラムを提供する。【解決手段】携帯電話機は、ディスプレイと、ディスプレイに重ねられ、タッチ操作を検出するタッチパネルと、タッチパネルに、タッチ操作の受け付けが制限される制限領域を設定する領域設定部（制御部１１）と、ディスプレイに表示された画面が、制限領域が設定される設定対象画面であるか否かを判断する判断部（制御部１１）と、を備える。ここで、領域設定部１１は、判断部１１がディスプレイに表示された画面が設定対象画面であると判断したことに基づいて、制限領域を設定する。【選択図】図２
2014191544.tif 000002
【特許請求の範囲】
【請求項１】
ディスプレイと、
前記ディスプレイに重ねられ、タッチ操作を検出するタッチパネルと、
前記タッチパネルに、タッチ操作の受け付けが制限される制限領域を設定する領域設定部と、
前記ディスプレイに表示された画面が、前記制限領域が設定される設定対象画面であるか否かを判断する判断部と、を備え、
前記領域設定部は、前記判断部が前記ディスプレイに表示された画面が前記設定対象画面であると判断したことに基づいて、前記制限領域を設定する、
ことを特徴とする携帯機器。
【請求項２】
請求項１に記載の携帯機器において、
前記制限領域は、前記タッチパネルの内周縁部の少なくとも一部に設定される、
ことを特徴とする携帯機器。
【請求項３】
請求項１または２に記載の携帯機器において、
前記携帯機器に生ずる動加速度を検出する加速度検出部を、さらに備え、
前記領域設定部は、前記判断部が前記ディスプレイに表示された画面が前記設定対象画面であると判断した場合であって、前記動加速度が所定値を超えたことに基づいて、前記制限領域を設定する、
ことを特徴とする携帯機器。
【請求項４】
請求項３に記載の携帯機器において、
前記ディスプレイに向けられるユーザの顔を撮影可能な撮影部を、さらに備え、
前記領域設定部は、前記判断部が前記ディスプレイに表示された画面が前記設定対象画面であると判断した場合であって、前記動加速度が前記所定値を超えて、且つ、前記撮影部によりユーザの顔が撮影されていないことに基づいて、前記制限領域を設定する、
ことを特徴とする携帯機器。
【請求項５】
請求項３に記載の携帯機器において、
前記携帯機器の周囲の明るさを検出する照度検出部を、さらに備え、
前記領域設定部は、前記判断部が前記ディスプレイに表示された画面が前記設定対象画面であると判断した場合であって、前記動加速度が前記所定値を超えて、且つ、前記携帯機器の周囲の明るさが所定量より大きく低下したことに基づいて、前記制限領域を設定する、
ことを特徴とする携帯機器。
【請求項６】
請求項３ないし５の何れか一項に記載の携帯機器において、
バッテリー残量を検出する残量検出部を、さらに備え、
前記加速度検出部は、前記残量検出部により検出されたバッテリー残量が所定量を超える場合に作動し、前記動加速度を検出する、
ことを特徴とする携帯機器。
【請求項７】
ディスプレイに重ねられ、タッチ操作を検出するタッチパネルに、タッチ操作の受け付けが制限される制限領域を設定するタッチパネルの制限領域設定方法であって、
前記ディスプレイに表示された画面が、前記制限領域が設定される設定対象画面であるか否を判定する判定ステップと、
前記ディスプレイに表示された画面が前記設定対象画面であることに基づいて、前記制限領域を設定する設定ステップと、を含む、
ことを特徴とするタッチパネルの制限領域設定方法。
【請求項８】
ディスプレイと、前記ディスプレイに重ねられ、タッチ操作を検出するタッチパネルと、を備える携帯機器のコンピュータに、タッチ操作の受け付けが制限される制限領域を前記タッチパネルに設定する機能を付与するプログラムであって、
前記ディスプレイに表示された画面が、前記制限領域が設定される設定対象画面であるか否を判定する判定ステップと、
前記ディスプレイに表示された画面が前記設定対象画面であることに基づいて、前記制限領域を設定する設定ステップと、を含む、
ことを特徴とするプログラム。
【発明の詳細な説明】
【技術分野】
【０００１】
本発明は、携帯電話機、ＰＤＡ（Personal Digital Assistant）、タブレットＰＣ（Tablet PC）、電子書籍端末、携帯音楽プレーヤ、ポータブルテレビ、ポータブルナビゲーションシステム等の携帯機器に関し、特に、タッチパネルを有する携帯機器に関する。さらに、本発明は、かかる携帯機器に用いて好適なタッチパネルの制限領域設定方法およびプログラムに関する。
【背景技術】
【０００２】
従来、ディスプレイ上にタッチパネルを配した携帯電話機が知られている。携帯電話機では、近年、ディスプレイが大型化するに伴い、ディスプレイを囲むフレーム部の幅が狭くなってきている。フレーム部の幅が狭くなると、ユーザが携帯電話機を把持したときに、ディスプレイ、すなわちタッチパネルの内周縁部に指が触れやすくなるため、誤操作が生じ易くなる。
【０００３】
そこで、携帯電話機において、タッチパネルの内周縁部にタッチ操作の無効領域を設定し、内周縁部へのタッチ操作を無効とする構成が採られ得る（特許文献１参照）。
【先行技術文献】
【特許文献】
【０００４】
【特許文献１】特開２０１１−０３４１９６号公報
【発明の概要】
【発明が解決しようとする課題】
【０００５】
ディスプレイには、実行されるアプリケーションプログラム（以下、単に「アプリケーション」と称する。）に応じて様々な画面が表示される。ディスプレイに表示される画面には、電子メールのメール作成画面等、ユーザにより頻繁に操作が行われる画面もあれば、テレビ視聴画面等、ユーザによりあまり操作が行われない画面もある。よって、ディスプレイに表示される画面に寄らず一様に無効領域の設定が行われる場合、機器の操作性を不要に低下させてしまう虞がある。
【０００６】
そこで、本発明は、ユーザによる誤操作の防止を良好に図ることができる携帯機器、タッチパネルの制限領域設定方法およびプログラムを提供することを目的とする。
【課題を解決するための手段】
【０００７】
本発明の第１の態様に係る携帯機器は、ディスプレイと、前記ディスプレイに重ねられ、タッチ操作を検出するタッチパネルと、前記タッチパネルに、タッチ操作の受け付けが制限される制限領域を設定する領域設定部と、前記ディスプレイに表示された画面が、前記制限領域が設定される設定対象画面であるか否かを判断する判断部と、を備える。ここで、前記領域設定部は、前記判断部が前記ディスプレイに表示された画面が前記設定対象画面であると判断したことに基づいて、前記制限領域を設定する。
【０００８】
本態様に係る携帯機器において、前記制限領域は、前記タッチパネルの内周縁部の少なくとも一部に設定され得る。
【０００９】
本態様に係る携帯機器は、前記携帯機器に生ずる動加速度を検出する加速度検出部を、さらに備えるような構成とされ得る。この場合、前記領域設定部は、前記判断部が前記ディスプレイに表示された画面が前記設定対象画面であると判断した場合であって、前記動
加速度が所定値を超えたことに基づいて、前記制限領域を設定する。
【００１０】
このような構成とした場合、前記ディスプレイに向けられるユーザの顔を撮影可能な撮影部を、さらに備えるような構成とされ得る。この場合、前記領域設定部は、前記判断部が前記ディスプレイに表示された画面が前記設定対象画面であると判断した場合であって、前記動加速度が前記所定値を超えて、且つ、前記撮影部によりユーザの顔が撮影されていないことに基づいて、前記制限領域を設定する。
【００１１】
または、このような構成とした場合、前記携帯機器の周囲の明るさを検出する照度検出部を、さらに備えるような構成とされ得る。この場合、前記領域設定部は、前記判断部が前記ディスプレイに表示された画面が前記設定対象画面であると判断した場合であって、前記動加速度が前記所定値を超えて、且つ、前記携帯機器の周囲の明るさが所定量より大きく低下したことに基づいて、前記制限領域を設定する。
【００１２】
本態様に係る携帯機器は、バッテリー残量を検出する残量検出部を、さらに備えるような構成とされ得る。この場合、前記加速度検出部は、前記残量検出部により検出されたバッテリー残量が所定量を超える場合に作動し、前記動加速度を検出する。
【００１３】
本発明の第２の態様は、ディスプレイに重ねられ、タッチ操作を検出するタッチパネルに、タッチ操作の受け付けが制限される制限領域を設定するタッチパネルの制限領域設定方法に関する。本態様に係る制限領域設定方法は、前記ディスプレイに表示された画面が、前記制限領域が設定される設定対象画面であるか否を判定する判定ステップと、前記ディスプレイに表示された画面が前記設定対象画面であることに基づいて、前記制限領域を設定する設定ステップと、を含む。
【００１４】
本発明の第３の態様は、ディスプレイと、前記ディスプレイに重ねられ、タッチ操作を検出するタッチパネルと、を備える携帯機器のコンピュータに、タッチ操作の受け付けが制限される制限領域を前記タッチパネルに設定する機能を付与するプログラムに関する。本態様に係るプログラムは、前記ディスプレイに表示された画面が、前記制限領域が設定される設定対象画面であるか否を判定する判定ステップと、前記ディスプレイに表示された画面が前記設定対象画面であることに基づいて、前記制限領域を設定する設定ステップと、を含む。
【発明の効果】
【００１５】
本発明によれば、ユーザによる誤操作の防止を良好に図ることができる携帯機器、タッチパネルの制限領域設定方法およびプログラムを提供することができる。
【００１６】
本発明の効果ないし意義は、以下に示す実施形態の説明によりさらに明らかとなろう。ただし、以下の実施形態は、あくまでも、本発明を実施化する際の一つの例示であって、本発明は、以下の実施形態に記載されたものに何ら制限されるものではない。
【図面の簡単な説明】
【００１７】
【図１】実施の形態に係る、携帯電話機の構成を示す図である。
【図２】実施の形態に係る、携帯電話機の全体構成を示すブロック図である。
【図３】実施の形態に係る、ディスプレイに表示される画面の一例であるホーム画面を示す図である。
【図４】実施の形態に係る、設定対象リストの構成を示す図である。
【図５】実施の形態に係る、制限領域設定機能について説明するための図である。
【図６】実施の形態に係る、制限領域が設定された場合のタッチ操作に基づく機能の実行処理を示すフローチャートである。
【図７】変更例１に係る、携帯電話機の全体構成を示すブロック図である。
【図８】変更例１に係る、制限領域設定処理を示すフローチャートである。
【図９】変更例２に係る、携帯電話機の全体構成を示すブロック図である。
【図１０】変更例２に係る、制限領域設定処理を示すフローチャートである。
【図１１】変更例３に係る、制限領域設定処理を示すフローチャートである。
【図１２】その他の変更例に係る、制限領域について説明するための図である。
【発明を実施するための形態】
【００１８】
以下、本発明の実施形態について、図面を参照して説明する。
【００１９】
図１（ａ）、（ｂ）および（ｃ）は、それぞれ、携帯電話機１の正面図、背面図および右側面図である。以下、説明の便宜上、図１（ａ）〜（ｃ）に示すように、キャビネット２の長手方向を上下方向と定義し、キャビネット２の短手方向を左右方向と定義する。
【００２０】
図１に示されるように、携帯電話機１は、キャビネット２と、ディスプレイ３と、タッチパネル４と、マイクロフォン５と、通話スピーカ６と、外部スピーカ７とを含む。
【００２１】
キャビネット２は、正面から見て、ほぼ長方形の輪郭を有する。キャビネット２の正面側に、ディスプレイ３が配されている。ディスプレイ３には、各種の画像（画面）が表示される。ディスプレイ３は、たとえば、液晶ディスプレイである。ディスプレイ３は、有機ＥＬディスプレイ等、他の種類のディスプレイであってもよい。
【００２２】
ディスプレイ３を覆うように、タッチパネル４が配置されている。タッチパネル４は、透明なシート状に形成されている。タッチパネル４として、静電容量式、超音波式、感圧式、抵抗膜式、光検知式等、各種方式のタッチパネルが用いられ得る。
【００２３】
キャビネット２の内部には、下端部にマイクロフォン５が配されている。また、キャビネット２の内部には、上端部に通話スピーカ６が配されている。マイクロフォン５は、キャビネット２の正面に形成されたマイク孔５ａを通過した音声を受け付ける。マイクロフォン５は、入力された音に応じた電気信号を生成する。通話スピーカ６は、音を出力する。出力された音は、キャビネット２の正面に形成された出力孔６ａを通過してキャビネット２の外に放出される。通話の際には、通信先の機器（携帯電話機等）から受信された受話音声が通話スピーカ６から出力され、ユーザが発した発話音声がマイクロフォン５に入力される。なお、音は、音声、報知音等、様々な音を含む。
【００２４】
キャビネット２の内部には、外部スピーカ７が配されている。キャビネット２の背面には、外部スピーカ７と対向する領域に出力孔７ａが形成されている。外部スピーカ７から出力された音は、出力孔７ａを通過してキャビネット２の外に放出される。
【００２５】
キャビネット２において、ディスプレイ３を囲むフレーム部２ａは、上下左右のフレームにより構成されている。上述の通り、キャビネット２には、上部に通話スピーカ６が配されるスペースが設けられ、下部にマイクロフォン５が配されるスペースが設けられている。このため、左右のフレームの幅Ｗ１、Ｗ２は上下のフレームの幅Ｗ３、Ｗ４より狭くなっている。左フレームの幅Ｗ１と右フレームの幅Ｗ１は同じであり、上フレームの幅Ｗ３は、下フレームの幅Ｗ４より広くなっている。
【００２６】
図２は、携帯電話機１の全体構成を示すブロック図である。
【００２７】
図２に示されるように、携帯電話機１は、制御部１１と、記憶部１２と、画像出力部１３と、タッチ検出部１４と、音声入力部１５と、音声出力部１６と、音声処理部１７と、
キー入力部１８と、通信部１９と、加速度検出部２０と、電源部２１とを含む。
【００２８】
記憶部１２は、ＲＯＭ、ＲＡＭ、外部メモリを含む。記憶部１２には、各種のプログラムが記憶されている。記憶部１２に記憶されるプログラムは、携帯電話機１の各部を制御するための制御プログラムの他、各種アプリケーション（たとえば、ホーム、電話、電子メール、ウェブブラウザ、地図、ゲーム、スケジュール管理、等）を含む。プログラムは、メーカによって携帯電話機１の製造時に記憶部１２に記憶される他、通信網やメモリカード、ＣＤ−ＲＯＭ等の記憶媒体を介して記憶部１２に記憶される。
【００２９】
記憶部１２には、プログラムの実行の際、一時的に利用または生成されるデータを記憶するワーキング領域も含まれる。
【００３０】
制御部１１は、ＣＰＵを含む。制御部１１は、記憶部１２に記憶されたプログラムに従って、携帯電話機１を構成する各部（記憶部１２、画像出力部１３、タッチ検出部１４、音声入力部１５、音声出力部１６、音声処理部１７、キー入力部１８、通信部１９、加速度検出部２０等）を制御する。
【００３１】
画像出力部１３は、図１に示すディスプレイ３を含む。画像出力部１３は、制御部１１からの制御信号と画像信号に基づき、ディスプレイ３に画像（画面）を表示する。
【００３２】
タッチ検出部１４は、図１に示すタッチパネル４を含む。タッチ検出部１４は、図１に示すディスプレイ３へのユーザによるタッチ操作を、タッチパネル４により検出する。すなわち、タッチ検出部１４は、ユーザがディスプレイ３の領域内を触れた場合に、タッチパネル４を用いて、ユーザが触れた位置（以下、「タッチ位置」と称する）を検出する。タッチ検出部１４は、検出したタッチ位置に基づいて生成された位置信号を制御部１１へ出力する。
【００３３】
ユーザは、タッチパネル４が設けられることにより、ディスプレイ３、すなわち、タッチパネル４に指を触れることにより様々なタッチ操作を行うことができる。タッチ操作は、たとえば、タップ操作、フリック操作、スライド操作等を含む。タップ操作とは、ユーザがタッチパネル４に指を接触させた後、短時間のうちに指をタッチパネル４から離す操作である。フリック操作とは、ユーザがタッチパネル４に指を接触させた後、タッチパネル４を指で任意の方向に弾く操作である。スライド操作とは、ユーザがタッチパネル４に指を接触させたまま、任意の方向へ指を移動させる操作である。
【００３４】
たとえば、タッチ検出部１４がタッチ位置を検出した場合に、タッチ位置が検出されてから予め定められた第１時間以内にタッチ位置が検出されなくなると、制御部１１は、タッチ操作をタップ操作と判定する。タッチ位置が検出されてから予め定められた第２時間以内に予め定められた第１距離以上タッチ位置が移動した後、タッチ位置が検出されなくなった場合、制御部１１は、タッチ操作をフリック操作と判定する。タッチ位置が検出された後、予め定めた第２距離以上タッチ位置が移動すると、制御部１１は、タッチ操作をスライド操作と判定する。
【００３５】
音声入力部１５は、マイクロフォン５を含む。音声入力部１５は、マイクロフォン５からの電気信号を音声処理部１７へ出力する。
【００３６】
音声出力部１６は、通話スピーカ６および外部スピーカ７を含む。音声出力部１６には、音声処理部１７からの電気信号が入力される。音声出力部１６は、通話スピーカ６または外部スピーカ７から音を出力させる。
【００３７】
音声処理部１７は、音声入力部１５からの電気信号にＡ／Ｄ変換等を施し、変換後のデジタルの音声信号を制御部１１へ出力する。音声処理部１７は、制御部１１からのデジタルの音声信号にデコード処理およびＤ／Ａ変換等を施し、変換後の電気信号を音声出力部１６に出力する。
【００３８】
キー入力部１８は、少なくとも１つ以上のハードキーを含む。たとえば、キー入力部１８は、携帯電話機１に電源を投入するための電源キー等を含む。キー入力部１８は、押下されたハードキーに対応する信号を制御部１１に出力する。
【００３９】
通信部１９は、通話や通信を行うため、信号を変換するための回路、電波を送受信するアンテナ等を含む。通信部１９は、制御部１１から入力される通話や通信のための信号を無線信号に変換し、変換された無線信号を、アンテナを介して基地局や他の通信装置等の通信先へ送信する。さらに、通信部１９は、アンテナを介して受信した無線信号を制御部１１が利用できる形式の信号へ変換し、変換された信号を制御部１１へ出力する。
【００４０】
加速度検出部２０は、３軸タイプの加速度センサを含む。加速度検出部２０は、加速度センサにより、静止時に携帯電話機１に生ずる静加速度、すなわち、重力加速度を検出し、検出された重力加速度に応じた検出信号を制御部１１に出力する。さらに、加速度検出部２０は、加速度センサにより、携帯電話機１が動いた際に携帯電話機１に生ずる動加速度を検出し、検出された動加速度に応じた検出信号を制御部１１に出力する。
【００４１】
電源部２１は、バッテリー２１ａおよび残量検出部２１ｂを含む。電源部２１は、バッテリー２１ａの電力を制御部１１および制御部１１以外の各部に供給する。また、電源部２１は、外部電源からの電力をバッテリー２１ａに供給して、バッテリー２１ａを充電する。さらに、電源部２１は、残量検出部２１ｂにより検出されたバッテリー２１ａの残量に応じた検出信号を制御部１１に出力する。
【００４２】
図３は、ディスプレイ３に表示される画面の一例であるホーム画面を示す図である。
【００４３】
ホーム画面は、各種のアプリケーションを起動するための起動用アイコンＩＣを含む。起動用アイコンＩＣへのタップ操作により、アプリケーションが起動する。ホーム画面等、アプリケーションに応じてディスプレイ３に表示される画面の多くは、上部に位置する通知バー１０１と、下部に位置する操作キー群１０２を含む。
【００４４】
通知バー１０１は、現在時刻１０１ａ、電波の強度を示す強度メータ１０１ｂ、バッテリー残量を示す残量メータ１０１ｃ等を含む。操作キー群１０２は、設定キー１０２ａ、ホームキー１０２ｂ、およびバックキー１０２ｃから構成されている。設定キー１０２ａは、主に、各種設定を行う設定画面をディスプレイ３に表示させるためのキーである。ホームキー１０２ｂは、主に、ディスプレイ３の表示を他の画面からホーム画面に移行させるためのキーである。バックキー１０２ｃは、主に、実行された処理を１ステップ前の処理に戻すためのキーである。
【００４５】
なお、画面によっては、通知バー１０１およびキー操作群１０２の少なくとも一方が含まれない場合がある。
【００４６】
本実施の形態の携帯電話機１では、ユーザが携帯電話機１を把持したときに、操作の意図なく、ディスプレイ３、すなわちタッチパネル４の内周縁部にユーザの指が触れることにより、誤操作が生じる虞がある。そこで、携帯電話機１は、タッチパネル４に、制御部１１によるタッチ操作の受け付けが制限される制限領域を設定する機能（以下、「制限領域設定機能」という）を備えている。
【００４７】
ここで、制限領域が設定された場合、その分、タッチ操作が制限されないタッチパネル４内の領域が縮小されることとなるので、ユーザの操作性が幾分低下する。ディスプレイ３に表示される画面には、電子メールのメール作成画面等、ユーザにより頻繁に操作が行われる画面もあれば、テレビ視聴画面等、ユーザによりあまり操作が行われない画面もある。よって、ディスプレイ３に表示される画面に寄らず一様に制限領域の設定が行われる場合、携帯電話機１の操作性を不要に低下させてしまう虞がある。
【００４８】
そこで、本実施の形態の携帯電話機１は、制限領域設定機能において、ディスプレイ３に表示される画面に応じてタッチパネル４に制限領域が設定されるような構成とされている。制限領域設定機能を実現するための制限領域設定処理が、制御部１１により実行される。
【００４９】
図２に示すように、記憶部１２には、設定対象リスト１２ａが記憶されている。設定対象リスト１２ａは、制限領域設定処理において、ディスプレイ３に表示された画面が、タッチパネル４に制限領域が設定される設定対象画面であるか否を判定する際に用いられる判定情報である。
【００５０】
図４は、設定対象リスト１２ａの構成を示す図である。設定対象リスト１２ａには、設定対象画面が登録されている。設定対象画面は、ディスプレイ３に表示されていても、ユーザによりタッチ操作が行われる可能性が比較的低い画面である。設定対象画面として、たとえば、ホーム画面、テレビ視聴画面、動画再生画面等が挙げられる。ホーム画面は初期画面であり、ユーザはアプリケーションを終了するとホーム画面へディスプレイ３の表示を戻し、そのまま携帯電話機１の使用をやめる場合が比較的多い。また、ユーザは、テレビ視聴画面においてテレビ番組を視聴しているときや動画再生画面において動画を視聴しているときには、あまり操作を行わない。なお、設定対象リスト１２ａには、タッチ操作が比較的頻繁に行われるメール作成画面やウェブ画面は、設定対象画面として登録されない。
【００５１】
なお、設定対象リスト１２ａに、アプリケーションが登録される場合がある。アプリケーションの登録は、アプリケーションの全画面の登録を意味し、登録されたアプリケーションの全画面が、制限領域の設定対象となる。
【００５２】
記憶部１２には、さらに、制限領域を規定するための位置情報（座標情報）が、領域情報として記憶されている。
【００５３】
制御部１１は、領域設定部および判断部として機能し、ディスプレイ３に表示された画面が設定対象画面であることに基づいて制限領域を設定する。より詳しくは、制御部１１は、ディスプレイ３に表示された画面が設定対象画面であり、且つ、加速度検出部２０により検出された動加速度が所定値を超えたことに基づいて制限領域を設定する。
【００５４】
図５は、制限領域設定機能について説明するための図である。図５（ａ）は、制限領域設定処理を示すフローチャートである。図５（ｂ）は、タッチパネル４に設定される制限領域ＲＡの一例を示す図である。
【００５５】
携帯電話機１が作動している間、制御部１１は、制限領域設定処理を繰り返し実行する。ディスプレイ３には、フォアグラウンドで実行されたアプリケーションに応じた画面が表示される。制御部１１は、設定対象リスト１２ａを参照し、ディスプレイ３に表示されている画面が、制限領域ＲＡの設定対象画面であるか否かを判定する（Ｓ１０１）。表示されている画面が設定対象リスト１２ａに登録されていれば、制御部１１は、表示されて
いる画面が設定対象画面であると判定する（Ｓ１０１：ＹＥＳ）。この場合、制御部１１は、加速度検出部２０により検出された動加速度が所定値より大きいか否かを判定する（Ｓ１０２）。たとえば、試験等において、携帯電話機１の使用時に生じる動加速度が測定され、測定値に基づいて所定値が決められる。
【００５６】
ユーザが携帯電話機１を手で把持して使用している場合には、携帯電話機１が静止状態を常に保つことはなく、携帯電話機１には適当に動きが生じる。携帯電話機１に使用に基づく動きが生じると、携帯電話機１に生ずる動加速度が所定値を超える。ユーザが携帯電話機１を把持しているときには、タッチ操作の意図なく、ユーザの指がタッチパネル４に触れることにより誤操作が生じる虞がある。このとき、ディスプレイ３に表示された画面が設定対象画面であれば、その画面において、ユーザによりタッチ操作が行われることは比較的少ない。よって、タッチパネル４に制限領域ＲＡが設定されても、携帯電話機１の操作性が損なわれにくい。
【００５７】
そこで、動加速度が所定値よりも大きい場合（Ｓ１０２：ＹＥＳ）、制御部１１は、タッチパネル４に制限領域ＲＡを設定する（Ｓ１０３）。本実施の形態では、図５（ｂ）に一点鎖線で示すように、制御部１１は、タッチパネル４の内周縁部全周に亘って制限領域ＲＡを設定する。
【００５８】
制御部１１は、制御部１１に内蔵されたタイマーにより時間計測を行い、制限領域ＲＡが設定されてから所定時間（たとえば、３０秒）が経過したか否かを判定する（Ｓ１０４）。所定時間が経過すると（Ｓ１０４：ＹＥＳ）、制御部１１は、制限領域ＲＡを解除し（Ｓ１０５）、制限領域設定処理を終了する。携帯電話機１が、動いた後に直ちに静止した状態となっても、上記の通り、制限領域ＲＡは直ちに解除されず、所定時間、制限領域ＲＡが設定された状態が継続される。
【００５９】
携帯電話機１が使用されておらず、机等に置かれている場合、携帯電話機１は静止状態を保つため、携帯電話機１に生ずる動加速度が所定値を超えない。ユーザにより携帯電話機１が把持されていなければ、ユーザの指がタッチパネル４に触れることによる誤操作は生じない。よって、タッチパネル４に制限領域ＲＡが設定される必要はない。
【００６０】
そこで、制御部１１は、ステップＳ１０２において、動加速度が所定値よりも大きくないと判定すると（Ｓ１０２：ＮＯ）、タッチパネル４に制限領域ＲＡを設定することなく、制限領域設定処理を終了する。
【００６１】
さらに、ディスプレイ３に表示された画面が設定対象画面でない場合、その画面において、ユーザにより頻繁にタッチ操作が行われる可能性が高い。よって、設定対象画面でない画面がディスプレイ３に表示されている場合に、タッチパネル４に制限領域ＲＡが設定されると、携帯電話機１の操作性が大幅に損なわれる虞がある。
【００６２】
制御部１１は、ステップＳ１０１において、表示されている画面が設定対象画面でないと判定すると（Ｓ１０１：ＮＯ）、タッチパネル４に制限領域ＲＡを設定することなく、制限領域設定処理を終了する。
【００６３】
制限領域設定処理が終了すると、制御部１１は、直ちに、制限領域設定処理を再開する。ディスプレイ３に設定対象画面が表示されており、携帯電話機１が把持されていれば、ほどなく、所定値より大きな動加速度が検出されて、タッチパネル４に制限領域ＲＡが設定される（Ｓ１０１：ＹＥＳ→Ｓ１０２：ＹＥＳ→Ｓ１０３）。
【００６４】
こうして、制限領域設定処理が繰り返されることにより、ディスプレイ３に設定対象画
面が表示されている間は、携帯電話機１が把持されている期間ほぼ全般に亘ってタッチパネル４に制限領域ＲＡが設定されることとなる。
【００６５】
一方、ディスプレイ３に設定対象画面でない画面が表示されている間、およびディスプレイ３に設定対象画面が表示されている間であっても携帯電話機１が把持されていない期間は、タッチパネル４に制限領域ＲＡが設定されない。
【００６６】
なお、本実施の形態の携帯電話機１は、加速度検出部２０により検出される重力加速度に基づいて携帯電話機１の向きが縦向きか横向きを判定し、ディスプレイ３に表示される画面の表示方向を変更する機能を備えている。このため、携帯電話機１が作動している間、加速度検出部２０の加速度センサは常に作動している。携帯電話機１の向きに応じて表示方向を変更する機能を有しない場合など、加速度センサを常に作動させておく必要がない場合は、制限領域設定処理において、制御部１１は、加速度を検出する際に加速度検出部２０を制御して加速度センサを作動させ、加速度の検出が終わると加速度センサを停止させるとよい。
【００６７】
図６は、制限領域ＲＡが設定された場合のタッチ操作に基づく機能の実行処理を示すフローチャートである。携帯電話機１が作動している間、図６に示す機能実行処理が繰り返し実行される。
【００６８】
制御部１１は、ディスプレイ３へのタッチ操作がなされた否かを判定する（Ｓ２０１）。ディスプレイ３へのタッチ操作がなされると（Ｓ２０１：ＹＥＳ）、制御部１１は、記憶部１２に記憶された領域情報を参照し、タッチパネル４で検出されたタッチ位置が制限領域ＲＡ内であるか否かを判定する（Ｓ２０２）。
【００６９】
タッチ位置が制限領域ＲＡ内でない場合（Ｓ２０２：ＮＯ）、制御部１１は、そのタッチ位置で行われたタッチ操作の種類に、何らかの機能が割り当てられているか否かを判定する（Ｓ２０３）。機能が割り当てられていれば（Ｓ２０３：ＹＥＳ）、制御部１１は、その機能を実行する（Ｓ２０４）。たとえば、図３に示すホーム画面の起動用アイコンＩＣの位置においてタップ操作が行われると、制御部１１は、タップ操作がなされた起動用アイコンＩＣに対応するアプリケーションを起動する。
【００７０】
一方、タッチ位置が制限領域ＲＡ内である場合（Ｓ２０２：ＹＥＳ）、制御部１１は、タッチ操作を無効とし、機能の割り当てがある場合であっても、その機能を実行しない（Ｓ２０５）。
【００７１】
以上、本実施の形態によれば、ディスプレイ３に表示される画面が、ユーザによるタッチ操作の頻度が低い画面であることに基づいて、タッチパネル４に制限領域ＲＡが設定される。よって、携帯電話機１の操作性の低下を抑制しつつ携帯電話機１の誤操作を防止することができる。
【００７２】
さらに、本実施の形態によれば、ディスプレイ３に表示される画面が、ユーザによるタッチ操作の頻度が低い画面である場合であって、さらに、ユーザにより携帯電話機１が把持されていると看做される場合に、タッチパネル４に制限領域ＲＡが設定される。よって、より一層、携帯電話機１の操作性の低下を抑制しつつ携帯電話機１の誤操作を防止することができる。
【００７３】
以上、本発明の実施の形態について説明したが、本発明は、上記実施の形態等によって何ら制限されるものではなく、また、本発明の実施の形態も、上記以外に種々の変更が可能である。
【００７４】
＜変更例１＞
図７は、変更例１に係る、携帯電話機１の全体構成を示すブロック図である。
【００７５】
図７に示すように、本変更例の携帯電話機１は、上記実施の形態の構成に加え、撮影部２２を含む。
【００７６】
撮影部２２は、キャビネット２の正面側に配されたインカメラを含む。インカメラは、携帯電話機１の正面方向に存在する被写体を撮影する。撮影部２２は、インカメラにより撮影された画像の画像データに各種の画像処理を施し、画像処理後の画像データを制御部１１に出力する。
【００７７】
図８は、変更例１に係る、制限領域設定処理を示すフローチャートである。以下、図８を参照して、本変更例の制限領域設定処理について説明する。
【００７８】
制御部１１は、ディスプレイ３に表示されている画面が制限領域ＲＡの設定対象画面であり（Ｓ３０１：ＹＥＳ）、且つ、加速度検出部２０により検出された動加速度が所定値より大きい場合（Ｓ３０２：ＹＥＳ）、撮影部２２を制御してインカメラを作動させる（Ｓ３０３）。制御部１１は、顔検出処理を行い（Ｓ３０４）、インカメラにより顔が撮影されているか否かを判定する（Ｓ３０５）。
【００７９】
ユーザの顔が携帯電話機１に向けられていると、インカメラにより顔が撮影される。この場合、ユーザは携帯電話機１を使用している可能性が高く、携帯電話機１が操作される可能性がある。よって、制御部１１は、インカメラにより顔が撮影されていると判定すると（Ｓ３０５：ＹＥＳ）、インカメラを停止し（Ｓ３０６）、制限領域設定処理を終了する。タッチパネル４に制限領域ＲＡは設定されない。
【００８０】
一方、インカメラにより顔が撮影されていない場合は、ユーザが携帯電話機１を使用していない可能性が高い。ユーザが携帯電話機１を使用していなければ、携帯電話機１が操作されることはない。よって、制御部１１は、インカメラにより顔が撮影されていないと判定すると（Ｓ３０５：ＮＯ）、タッチパネル４に制限領域ＲＡを設定する（Ｓ３０７）。
【００８１】
制御部１１は、顔検出処理を行い（Ｓ３０８）、インカメラにより顔が撮影されているか否かを判定する（Ｓ３０９）。インカメラにより顔が撮影されていなければ（Ｓ３０９：ＮＯ）、制御部１１は所定時間が経過したか否かを判定する（Ｓ３１０）。所定時間が経過すると（Ｓ３１０：ＹＥＳ）、制御部１１は、制限領域ＲＡを解除する（Ｓ３１１）。
【００８２】
所定時間が経過していない間（Ｓ３１０：ＮＯ）、制御部１１は、ステップＳ３０８およびステップＳ３０９の処理を繰り返す。
【００８３】
インカメラにより顔が撮影された場合、ユーザが携帯電話機１の使用を始めた可能性が高い。制御部１１は、所定時間が経過する前に、顔が撮影されていると判定すると（Ｓ３０９：ＹＥＳ）、所定時間の経過を待つことなく、制限領域ＲＡを解除する（Ｓ３１１）。
【００８４】
制御部１１は、制限領域ＲＡを解除すると（Ｓ３１１）、インカメラを停止して（Ｓ３１２）、制限領域設定処理を終了する。
【００８５】
このように、本変更例によれば、携帯電話機１が使用されていないと看做される場合に制限領域ＲＡが設定される。よって、携帯電話機１の操作性の低下を一層抑制できる。
【００８６】
さらに、本変更例によれば、制限領域ＲＡが設定された後、携帯電話機１の使用が開始されたと看做される場合に、所定時間の経過を待つことなく制限領域ＲＡが解除される。よって、携帯電話機１の操作性の低下をより一層抑制できる。
【００８７】
なお、ステップＳ３０８およびステップＳ３０９の処理が削除され、制限領域ＲＡが設定された後は顔検出処理が行われないように、本変更例の制限領域設定処理が変更されても良い。
＜変更例２＞
図９は、変更例２に係る、携帯電話機１の全体構成を示すブロック図である。
【００８８】
図９に示すように、本変更例の携帯電話機１は、上記実施の形態の構成に加え、照度検出部２３を含む。
【００８９】
照度検出部２３は、照度センサを含む。照度検出部２３は、携帯電話機１の周囲の明るさを照度センサにより検出し、検出した照度に応じた検出信号を制御部１１に出力する。図示しないが、照度センサは、たとえば、通話スピーカ６の右側に、そのセンシング部が外部に露出するように配置される。
【００９０】
図１０は、変更例２に係る、制限領域設定処理を示すフローチャートである。以下、図１０を参照して、本変更例の制限領域設定処理について説明する。
【００９１】
制御部１１は、ディスプレイ３に表示されている画面が制限領域ＲＡの設定対象画面であり（Ｓ４０１：ＹＥＳ）、且つ、加速度検出部２０により検出された動加速度が所定値より大きい場合（Ｓ４０２：ＹＥＳ）、照度検出部２３により照度を検出する（Ｓ４０３）。制御部１１は、今回の検出照度と記憶部１２に記憶された前回の検出照度とを比較することにより、照度が所定量よりも大きく低下したか否かを判定する（Ｓ４０４）。たとえば、試験等において、携帯電話機１をカバン等に入れたときに生じる照度の変化が測定され、測定値に基づいて所定量が決められる。
【００９２】
ユーザが携帯電話機１を使用している場合、通常、携帯電話機１の周囲が急に暗くなり、照度が大きく低下してしまうことが生じにくい。よって、制御部１１は、照度が所定量より大きく低下していないと判定すると（Ｓ４０４：ＮＯ）、今回の検出照度を記憶部１２に記憶し（Ｓ４０５）、制限領域設定処理を終了する。タッチパネル４に制限領域ＲＡは設定されない。
【００９３】
なお、照度検出が最初であり、前回の検出照度が記憶部１２に記憶されていない場合、制御部１１は、ステップＳ４０４において、照度が所定量より大きく低下していないと判定する。
【００９４】
一方、ユーザが携帯電話機１の使用をやめてポケットやカバンに携帯電話機１を入れた場合、携帯電話機１の周囲が急に暗くなり、照度が大きく低下する。よって、制御部１１は、照度が所定量より大きく低下したと判定すると（Ｓ４０４：ＹＥＳ）、タッチパネル４に制限領域ＲＡを設定する（Ｓ４０６）。
【００９５】
制御部１１は、ステップＳ４０３により検出した照度を記憶部１２に記憶した後（Ｓ４０７）、再び照度を検出する（Ｓ４０８）。制御部１１は、今回の検出照度と前回の検出照度とを比較することにより、照度が所定量より大きく上昇したか否かを判定する（Ｓ４
０９）。照度が所定量より大きく上昇していなければ（Ｓ４０９：ＮＯ）、制御部１１は、所定時間が経過したか否かを判定する（Ｓ４１０）。所定時間が経過すると（Ｓ４１０：ＹＥＳ）、制御部１１は、制限領域ＲＡを解除する（Ｓ４１１）。
【００９６】
所定時間が経過していない間（Ｓ４１０：ＮＯ）、制御部１１は、ステップＳ４０７ないしステップＳ４０９の処理を繰り返す。
【００９７】
ユーザが携帯電話機１をカバン等から出して携帯電話機１の使用を開始した場合、携帯電話機１の周囲が急に明るくなり、照度が大きく上昇する。制御部１１は、所定時間が経過する前に、照度が所定量より大きく上昇したと判定すると（Ｓ４０９：ＹＥＳ）。所定時間の経過を待つことなく、制限領域ＲＡを解除する（Ｓ４１１）。
【００９８】
制御部１１は、制限領域ＲＡを解除すると（Ｓ４１１）、制限領域設定処理を終了する。
【００９９】
このように、本変更例によれば、携帯電話機１が使用されていないと看做される場合に制限領域ＲＡが設定される。よって、携帯電話機１の操作性の低下を一層抑制できる。
【０１００】
さらに、本変更例によれば、制限領域ＲＡが設定された後、携帯電話機１の使用が開始されたと看做される場合に、所定時間の経過を待つことなく制限領域ＲＡが解除される。よって、携帯電話機１の操作性の低下をより一層抑制できる。
【０１０１】
なお、ステップＳ４０７ないしステップＳ４０９の処理が削除され、制限領域ＲＡが設定された後は照度検出が行われないように、本変更例の制限領域設定処理が変更されても良い。
【０１０２】
＜変更例３＞
図１１は、変更例３に係る、制限領域設定処理を示すフローチャートである。
【０１０３】
本変更例では、図５に示す制限領域設定処理に対し、ステップＳ１１１およびステップＳ１１２の処理が追加される。
【０１０４】
本変更例では、上記実施の形態と異なり、携帯電話機１が作動している間、加速度検出部２０が常時作動する構成を採っていない。そして、本変更例では、携帯電話機１のバッテリー残量に応じて加速度検出部２０の加速度センサが作動する。
【０１０５】
図１１示すように、制御部１１は、ディスプレイ３に表示されている画面が、制限領域ＲＡの設定対象画面であると判定すると（Ｓ１０１：ＹＥＳ）、バッテリー残量が所定量（たとえば、２０％）より多いか否かを判定する（Ｓ１１１）。
【０１０６】
バッテリー残量が所定量より多い場合（Ｓ１１１：ＹＥＳ）、制御部１１は、加速度検出部２０を制御して加速度センサを作動させ、加速度センサに動加速度を検出させる（Ｓ１１２）。動加速度が検出されれば、制御部１１は、加速度センサを停止させる。一方、バッテリー残量が所定量よりも多くない場合（Ｓ１１１：ＮＯ）、制御部１１は、加速度センサを作動させることなく、制限領域設定処理を終了する。
【０１０７】
本変更例によれば、バッテリー残量が少ない場合には加速度センサが作動しないため、バッテリー残量が少なくなった際の電力の消耗を抑制できる。よって、電話等、主要な機能の実行のために電力を残すことが可能となる。
【０１０８】
なお、本変更例の構成は、上記変更例１の構成および上記変更例２の構成にも適用できる。
【０１０９】
＜その他の変更例＞
上記実施の形態では、制限領域ＲＡにおける上下左右の領域の幅は、特に限定されていない。しかしながら、上述したように、フレーム部２ａは、左右のフレームの幅Ｗ１、Ｗ２が上下のフレームの幅Ｗ３、Ｗ４より狭くなっている。このため、携帯電話機１が把持されたときに、タッチパネル４の上下の縁部よりも左右の縁部において、より中央の領域まで指が触れやすい。よって、図１２（ａ）に示すように、制限領域ＲＡは、左右の領域の幅Ｗ５、Ｗ６が上下の領域の幅Ｗ７、Ｗ８よりも広くされても良い。さらに、フレーム部２ａは、下フレームの幅Ｗ４が下フレームの幅Ｗ３より狭くなっている。よって、図１２（ｂ）に示すように、制限領域ＲＡは、左右の領域の幅Ｗ５、Ｗ６が上下の領域の幅Ｗ７、Ｗ８よりも広くされ、且つ、下の領域の幅Ｗ８が上の領域の幅Ｗ７よりも広くされても良い。
【０１１０】
上フレームの幅Ｗ３が携帯電話機１を把持するのに十分に広く、タッチパネル４の上縁部に指が掛かる可能性が小さい場合には、図１２（ｃ）に示すように、制限領域ＲＡは、上の領域がなくされても良い。さらに、上下のフレームの幅Ｗ３、Ｗ４が携帯電話機１を把持するのに十分に広い場合には、図１２（ｄ）に示すように、制限領域ＲＡは、上下の領域がなくされても良い。すなわち、制限領域ＲＡは、必ずしもタッチパネル４の内周縁部の全周に亘って設けられる必要はなく、タッチパネル４の内周縁部の少なくとも一部に設けられれば良い。
【０１１１】
このように、フレーム部２ａの各フレームの幅に合わせて、制限領域ＲＡを構成することにより、携帯電話機１の操作性の低下を一層抑制できる。
【０１１２】
さらに、携帯電話機１が、制限領域ＲＡをディスプレイ３に表示する領域表示が行われるような構成とされても良い。制限領域ＲＡが表示されることにより、ユーザはタッチ操作が制限される領域が設定されていることを認識することができる。
【０１１３】
上記実施の形態では、制限領域ＲＡに対する全てのタッチ操作が無効とされたが、一部の種類のタッチ操作、たとえば、指がタッチパネル４に偶然触れることにより誤操作が生じやすいタップ操作やロングタップ操作が無効とされてもよい。
【０１１４】
上記実施の形態では、スマートフォン型の携帯電話機に本発明が適用されている。しかしながら、これに限らず、ストレート式、折りたたみ式、スライド式等、他のタイプの携帯電話機に本発明が適用されても良い。
【０１１５】
さらに、本発明は、携帯電話機に限られず、ＰＤＡ（Personal DigitalAssistant）、タブレットＰＣ（Tablet PC）、電子書籍端末、携帯音楽プレーヤ、ポータブルテレビ、ポータブルナビゲーションシステム等、各種の携帯機器に適用可能である。
【０１１６】
この他、本発明の実施形態は、特許請求の範囲に示された技術的思想の範囲内において、適宜、種々の変更が可能である。
【符号の説明】
【０１１７】
３  ディスプレイ
４  タッチパネル
１１  制御部（領域設定部、判断部）
１２  記憶部
１２ａ  設定対象リスト
１４  タッチ検出部
２０  加速度検出部
２１ｂ  残量検出部
２２  撮影部
２３  照度検出部
ＲＡ  制限領域
【図１】
2014191544.tif 000003
【図２】
2014191544.tif 000004
【図３】
2014191544.tif 000005
【図４】
2014191544.tif 000006
【図５】
2014191544.tif 000007
【図６】
2014191544.tif 000008
【図７】
2014191544.tif 000009
【図８】
2014191544.tif 000010
【図９】
2014191544.tif 000011
【図１０】
2014191544.tif 000012
【図１１】
2014191544.tif 000013
【図１２】
2014191544.tif 000014